(57)【要約】【課題】作業性、安全性に優れ、安定した品質の製品を効率良く製造できるバネ圧縮組立装置を提供する。【解決手段】ベース５、固定側受台６、可動側受台７、ガイドレール８、ネジ９、ハンドル部１０、仕切り板１１を備えたバネ圧縮機構部３と、バネ保持具１２とを備える。固定側受台６の上端部に、ネジ９の一端を回動可能に且つ水平移動可能に支持する軸受を設ける。ハンドル部１０を、ネジ９の他端に固定する。可動側受台７の上端部に、ネジ９のハンドル部１０側を回動可能に支持する軸受を設ける。仕切り板１１を、可動側受台７と固定側受台６の軸受の内側に挿入可能に設ける。バネ保持具１２が、バネ１を圧縮した後に仕切り板１１の間隔を保持することによって、バネ１を圧縮状態で保持できるように、その両内側面に、仕切り板１１の縁が挿入される溝１７を設ける。【選択図】　図１
2004122266.tif 000002
【特許請求の範囲】
【請求項１】
ネジと、
前記ネジに回動力を伝達させるハンドル部と、
前記ネジの回動に従ってバネを圧縮するバネ圧縮機構部と、
前記バネ圧縮機構部によって圧縮したバネを保持した状態で、前記バネ圧縮機構部から着脱自在に設けられたバネ保持具とを有することを特徴とするバネ圧縮組立装置。
【請求項２】
ネジと、
前記ネジを回転させる駆動源と、
前記ネジの回動に従ってバネを圧縮するバネ圧縮機構部と、
前記バネ圧縮機構部によって圧縮したバネを保持した状態で、前記バネ圧縮機構部から着脱自在に設けられたバネ保持具とを有することを特徴とするバネ圧縮組立装置。
【請求項３】
前記バネ保持具は、長さ調整機構を有することを特徴とする請求項１又は２に記載のバネ圧縮組立装置。
【請求項４】
前記バネ圧縮機構部は、高さ調整機構を有することを特徴とする請求項１乃至３のいずれか一に記載のバネ圧縮組立装置。
【発明の詳細な説明】
【０００１】
【発明の属する技術分野】
本発明は、バネを圧縮し、他の部品と組み合わせることによって、容器等に挿入、位置決めの上、固定する作業において使用されるバネ圧縮組立装置に関する。
【０００２】
【従来の技術】
特定の製品の組み立て作業において、バネを圧縮し、他の部品と組み合わせて容器に挿入、位置決めの上、固定する作業が必要となる場合がある。このような作業の一例を、図１１の概略図を参照して説明する。すなわち、あらかじめバネ１と他部品４を組み合わせておき、その一端を容器２の所定の位置に位置決めする。そして、作業者が人力１８でバネ１の他端を押圧することによって、容器２に入る程度にバネ１を圧縮して、容器２内に挿入し組み込む。
【０００３】
なお、特定の用途向けのバネ組込装置については、従来から提案されていた（例えば、特許文献１参照）。
【０００４】
【特許文献１】
特開２００２−２５４２６２号公報
【０００５】
【発明が解決しようとする課題】
しかしながら、上記のような従来のバネ圧縮組立作業には、以下の（１）〜（４）に示すような問題点があった。
（１）バネ１を圧縮するために非常に大きな力が必要となる。
（２）作業者が容器２を支えながら、他部品４と組み合わせたバネ１を圧縮しなければならず、非常に困難な作業となる。
（３）バネ１が人力１８で圧縮できない程強力な場合、容器２に組み込むことができない。
（４）バネ１を圧縮する際、作業者が指を挟んだり、バネ１や他部品４等を飛ばしてしまう可能性がある。
また、特定用途向けのバネ組込装置は、種々の対象にバネを組み込めるような汎用性に乏しい。
【０００６】
本発明は、以上のような従来技術の問題点を解決するために提案されたものであり、作業性、安全性に優れ、安定した品質の製品を効率良く製造できるバネ圧縮組立装置を提供することを目的とする。
【０００７】
【課題を解決するための手段】
上記目的を達成するために、請求項１記載の発明であるバネ圧縮組立装置は、ネジと、前記ネジに回動力を伝達させるハンドル部と、前記ネジの回動に従ってバネを圧縮するバネ圧縮機構部と、前記バネ圧縮機構部によって圧縮したバネを保持した状態で、前記バネ圧縮機構部から着脱自在に設けられたバネ保持具とを有することを特徴とする。
以上のような請求項１記載の発明では、バネの圧縮を、ハンドル部を操作してネジを回転させるだけの小さな力で容易かつ安全に行うことができる。そして、バネ保持具によって、バネを圧縮した状態で保持しながらバネ圧縮機構部から取り外し、そのまま容器へ挿入、位置決めを行なった後、バネ保持具を取り外すことにより、容器へのバネの組み込み作業も簡単かつ安全に行うことができる。
【０００８】
請求項２記載の発明であるバネ圧縮組立装置は、ネジと、前記ネジを回転させる駆動源と、前記ネジの回動に従ってバネを圧縮するバネ圧縮機構部と、前記バネ圧縮機構部によって圧縮したバネを保持した状態で、前記バネ圧縮機構部から着脱自在に設けられたバネ保持具とを有することを特徴とする。
以上のような請求項２記載の発明では、ネジを駆動源によって回転させてバネを圧縮するので、人力を必要とせず、圧縮作業を短時間で簡単に行うことができる。
【０００９】
請求項３記載の発明は、請求項１又は２に記載のバネ圧縮組立装置において、前記バネ保持具は、長さ調整機構を有することを特徴とする
以上のような請求項３記載の発明では、長さ調整機構によってバネ保持具の長さを調整することによって、バネを任意の長さに圧縮することができ、様々なサイズの容器に組み込むことができる。
【００１０】
請求項４記載の発明は、請求項１乃至３のいずれか一に記載のバネ圧縮組立装置において、前記バネ圧縮機構部は、高さ調整機構を有することを特徴とする。
以上のような請求項４記載の発明では、バネ圧縮機構部の高さを高さ調整機構によって調整することにより、バネの圧縮作業を作業者に合わせた任意の高さで行うことができるので、作業性が向上する。
【００１１】
【発明の実施の形態】
本発明のバネ圧縮組立装置の実施の形態（以下、実施形態とする）を、図１〜図１０を参照して説明する。
【００１２】
［第１の実施形態］
［構成］
請求項１記載の発明に対応する実施形態を、図１〜図７を参照して説明する。すなわち、本実施形態は、図１及び図２に示すバネ圧縮機構部３と、図３〜図５に示すバネ保持具１２によって構成されている。バネ圧縮機構部３は、図１及び図２に示すように、ベース５、固定側受台６、可動側受台７、ガイドレール８、ネジ９、ハンドル部１０、仕切り板１１を備えている。ベース５は、固定側受台６、ガイドレール８が固定された板状の部材である。固定側受台６の上端部には、ネジ９の一端を回動可能に且つ互いに係合するネジ溝により水平移動可能に支持する軸受が設けられている。
【００１３】
ガイドレール８は、可動側受台７の下端部を、水平方向にスライド移動可能となるようにガイドするレールである。ハンドル部１０は、ネジ９の他端に固定されている。可動側受台７の上端部には、ネジ９のハンドル部１０側を回動可能に支持する軸受が設けられている。なお、ネジ９は、バネ１及び他部品４に挿入してから、固定側受台６及び可動側受台７のそれぞれの軸受にセットされるように構成されている。そして、仕切り板１１は、可動側受台７と固定側受台６の軸受の内側に挿入可能に設けられている。
【００１４】
また、バネ保持具１２は、上記のバネ圧縮機構部３によって圧縮したバネ１を保持し、容器２に挿入、位置決めするための部材である。このバネ保持具１２は、図３〜図５に示すように、可動側受台７側及び固定側受台６側と、下部が開口した箱状の部材であり、バネ１を圧縮した後に仕切り板１１の間隔を保持することによって、バネ１を圧縮状態で保持できるように、その両内側面に、仕切り板１１の縁が挿入される溝１７を有している。
【００１５】
［作用］
以上のような構成を有する本実施形態による製品の組み立て作業を説明する。すなわち、図１に示すように、バネ圧縮機構部３の固定側受台６、可動側受台７のそれぞれに、仕切り板１１をセットする。そして、バネ１及び他部品４に、ハンドル部１０の付いたネジ９を通して、固定側受台６、可動側受台７にセットする。この状態で、ハンドル部１０を回すと、ネジ９の働きにより、ガイドレール８に沿って可動側受台７が移動し、仕切り板１１に挟まれたバネ１が圧縮される。
【００１６】
図２に示すように、所望の寸法までバネ１が圧縮されたら、図３及び図４に示すように、バネ保持具１２の両端に設けられた溝１７を各仕切り板１１に合わせてバネ保持具１２を挿入し、バネ１を圧縮された状態で保持する。そして、ハンドル部１０を逆回転させて引き抜き、図５に示すように、圧縮されたバネ１を保持したバネ保持具１２及び仕切り板１１を取り出す。このようにバネ１及び他部品４の入ったバネ保持具１２を、図６に示すように、容器２の所定の位置に挿入・位置決めした後、両端の仕切り板１１を順次引き抜いて、バネ１を開放する。最後に、図７に示すように、バネ保持具１２を取り外すことによって、圧縮したバネ１を容器２の所定の位置に組み込むことができる。
【００１７】
［効果］
以上のような本実施形態によれば、バネ１の圧縮を、ハンドル部１０を用いてネジ９を回すという小さな力で、容易かつ安全に行うことができる。そして、バネ保持具１２によって、バネ１を圧縮した状態で保持しながらネジ９から取り外し、そのまま容器２へ挿入、位置決めした後、仕切り板１１及びバネ保持具１２を取り外すことにより、容器２へのバネ１の組み込み作業も簡単かつ安全に行うことができる。従って、最終的に組み立てられる製品の品質も安定するとともに、組み立て効率も向上する。
【００１８】
［第２の実施形態］
請求項２記載の発明に対応する実施形態を、図８を参照して説明する。すなわち、本実施形態は、図８に示すように、第１の実施形態のハンドル部１０の代わりに、ネジ９を回動させる駆動源となる電動・空圧機器１３を備えたものである。なお、その他の構成は、上記の第１の実施形態と同様である。
【００１９】
以上のような本実施形態によれば、電動・空圧機器１３によってネジ９を回動させることによって、上記の第１の実施形態と同様に、バネ１を圧縮することができる。従って、人力を必要とせず、より一層短時間で簡単にバネ１の圧縮を行うことができるので、組み立て効率が向上する。
【００２０】
［第３の実施形態］
［構成］
請求項３記載の発明に対応する実施形態を、図９を参照して説明する。すなわち、本実施形態におけるバネ圧縮機構部３には、図９に示すように、スケール１４が設けられている。このスケール１４は、目盛が形成された長尺の部材であり、その一端が固定側受台６に固定されている。スケール１４の他端は、バネ１の圧縮長が測定できるように、可動側受台７側に水平方向に延びている。一方、本実施形態におけるバネ保持具１５は、その長さが伸縮自在に設けられるとともに、所望の長さで固定可能な長さ調整機構を備えている。その他の構成は、上記の第１の実施形態と同様である。
【００２１】
［作用効果］
以上のような本実施の形態によれば、容器２のサイズに合わせて、あらかじめバネ保持具１５の長さを調整して、その長さで固定しておく。そして、上記の第１の実施形態と同様に、仕切り板１１に挿入することによって、バネ１を任意の長さに圧縮する。また、この長さは、スケール１４によって目測することもできる。従って、様々なサイズの容器２に対応できるバネ圧縮組立装置を構成できる。
【００２２】
［第４の実施形態］
請求項４記載の発明に対応する実施形態を、図１０を参照して説明する。すなわち、本実施形態は、図１０に示すように、上記の第１の実施形態におけるベース５の底面に、高さが伸縮自在に設けられるとともに、所望の高さで固定可能な高さ調整機構１６を設けたものである。このような本実施形態によれば、高さ調整機構１６によって、バネ圧縮機構部３の高さを自由に調整することができる。従って、バネ１の圧縮作業を、作業者の所望の高さで行なうことができ、作業性が向上する。
【００２３】
［他の実施形態］
本発明は、上記のような実施形態には限定されず、各部材の形状、大きさ、数、配置等は適宜変更可能であり、種々の形態を包含するものである。例えば、バネ圧縮機構部３を複数配設して、同時並行的に複数のバネ１を圧縮できる構成とてもよい。その際、駆動源として電動・空圧機器１３を用いれば、多数のバネ１の圧縮を自動的に一度に行なうことができる。また、バネ保持具１２は、圧縮したバネ１を保持できる構造であれば、容器２に合わせた自由な形状とすることができる。例えば、バネ保持具１２と仕切り板１１とを一体化して、圧縮後のバネ１の両端に対応する位置に仕切り板１１が挿入されるように構成してもよい。さらに、ハンドル部１０や電動・空圧機器１３の形状や構造は、ネジ９を回転させることができるものであれば、公知のあらゆるものを適用可能である。
【００２４】
【発明の効果】
以上説明したように、本発明によれば、作業性、安全性に優れ、安定した品質の製品を効率良く製造可能なバネ圧縮組立装置を提供することができる。
【図面の簡単な説明】
【図１】本発明の第１の実施形態におけるバネ装着時を示す概略正面図
【図２】図１の実施形態におけるバネ圧縮時を示す概略正面図
【図３】図１の実施形態に使用するバネ保持具の挿入時を示す概略平面図
【図４】図１の実施形態におけるバネ保持具の挿入時を示す概略正面図
【図５】図１の実施形態に使用するバネ保持具の取り出し時を示す一部透視正面図
【図６】図１の実施形態におけるバネ保持具の容器への挿入状態を示す概略正面図
【図７】図１の実施形態におけるバネ組み込み完了状態を示す概略正面図
【図８】本発明の第２の実施形態を示す概略正面図
【図９】本発明の第３の実施形態を示す概略正面図
【図１０】本発明の第４の実施形態を示す概略正面図
【図１１】従来のバネ圧縮組立方法を示す概略正面図
【符号の説明】
１…バネ
２…容器
３…バネ圧縮機構部
４…他部品
５…ベース
６…固定側受台
７…可動側受台
８…ガイドレール
９…ネジ
１０…ハンドル部
１１…仕切り板
１２，１５…バネ保持具
１３…電動・空圧機器
１４…スケール
１６…高さ調整機構
１７…溝
１８…人力
【図１】
2004122266.tif 000003
【図２】
2004122266.tif 000004
【図３】
2004122266.tif 000005
【図４】
2004122266.tif 000006
【図５】
2004122266.tif 000007
【図６】
2004122266.tif 000008
【図７】
2004122266.tif 000009
【図８】
2004122266.tif 000010
【図９】
2004122266.tif 000011
【図１０】
2004122266.tif 000012
【図１１】
2004122266.tif 000013